(57)【要約】      （修正有）【課題】ヒーターの上下に配された調理用プレートと調理用パンを用いて、チーズフォンデュとラクレットを一台の調理器において調理することが可能となり、かつ必要に応じ同時に調理することが可能となる電気加熱調理器を提供する。【解決手段】電気加熱調理器は、調理器本体の両支持体間にヒーターＨが配設され、ヒーターの上方に調理用プレートが載置可能となる棹状プレートガイド３Ａ、３Ｂが両支持体間に架設されると共に、ヒーターの下方には調理用パンが載置可能となるトレイ状部材４を設けたことを特徴とする。【選択図】図１
0003220278.tif 000002
【実用新案登録請求の範囲】
【請求項１】
調理器本体の両支持体間にヒーターが配設される電気加熱調理器において、該ヒーターの上方に調理用プレートが載置可能となる棹状プレートガイドが該両支持体間に架設されると共に、該ヒーターの下方に調理用パンが載置可能となるトレイ状部材を設けたことを特徴とする電気加熱調理器。
【考案の詳細な説明】
【技術分野】
【０００１】
本考案は、主として一般家庭で使用される電気加熱調理器に関するものである。
【背景技術】
【０００２】
従来、チーズ料理の代表的料理であるチーズフォンデュとラクレットを一般家庭で調理するに際しては、それぞれの専用調理器を要していた（例えば、ラクレットに関し特許文献参照。）。
【先行技術文献】
【特許文献】
【０００３】
【特許文献１】実開昭５９−３２３３１号公報
【考案の概要】
【考案が解決しようとする課題】
【０００４】
上述したように従来の加熱調理器では、素材を共通するにもかかわらずチーズフォンデュとラクレットを調理する際には別々の調理器を用意することを余儀なくされる。
【０００５】
また、これらの料理の付け合せであるグリル野菜やバケットなどを準備するには、さらに他の調理器を要することがある。
【０００６】
本考案はこのような従来の問題を解決した新規な電気加熱調理器の提供を図ったものである。
【課題を解決するための手段】
【０００７】
本考案は請求項１に記載のように、電気加熱調理器において、調理器本体の両支持体間にヒーターが配設される電気加熱調理器において、該ヒーターの上方に調理用プレートが載置可能となる棹状プレートガイドが該両支持体間に架設されると共に、該ヒーターの下方に調理用パンが載置可能となるトレイ状部材を設けたことを特徴とするものである。
【考案の効果】
【０００８】
本考案は請求項１に記載のような構成の採用に基づき、ヒーターの上下に配された調理用プレートと調理用パンを用いて、チーズフォンデュとラクレットを一台の調理器において調理することが可能となり、かつ必要に応じ同時に調理することが可能となるものである。
【図面の簡単な説明】
【０００９】
【図１】本考案に係る電気加熱調理器の一実施例を示す斜視図である。
【図２】本考案に係る電気加熱調理器の一実施例を示す斜視図である。
【図３】本考案に係る電気加熱調理器に用いる調理用プレートの一実施例を示す斜視図である。
【図４】本考案に係る電気加熱調理器に用いる調理用パンの一実施例を示す斜視図である。
【考案を実施するための形態】
【００１０】
図１〜図２において、Ａは電気加熱調理器の本体を示し、基本的構成は、両支持体１Ａ１Ｂと当該支持体間に架設される横フレーム２Ａ２Ｂにより上面開口の基台を構成し、上面開口を画する支持体１Ａ１Ｂと横フレーム２Ａ２Ｂの相互間隔は、長方形状を呈する調理用プレートＰが開口全面を覆う態様で着脱自在にセットすることが出来るように構成してある。
なお、図１は、調理用プレートを載置されていない状態を示す図であり、図２は、調理用プレートを載置し、プレート上にチーズフォンデュ用鍋Ｃ載置した状態を示す図である。
【００１１】
ヒーターＨは、調理器本体に配設されているが、本体の両支持体１Ａ１Ｂ間のほぼ全長に亘って平行する程度の長さを具えるような、例えば、上面視楕円形状やＵ字状のヒーターなどが好ましく、図示のように、本体中央上方よりの位置に配される。かかる構成により、ヒーターＨからの放射熱は均等に拡散され調理対象を均等に加熱することが可能となる。
【００１２】
ヒーターＨの上方には、調理用プレートＰが載置可能となるプレートガイド３Ａ３Ｂが設けられており、実施例においては二本の細棹体が横フレーム２Ａ２Ｂに平行する態様をもって、両支持体間１Ａ１Ｂに架設されている。
【００１３】
二本のプレートガイド３Ａ３Ｂの間隔は、載置される調理用プレートＰの受け溝Ｇに対応した間隔をもって構成されるものである。
【００１４】
ヒーターＨの下方には、調理用パンＦを載置可能となるトレイ状部材４が設けられている。
【００１５】
ここに、調理用パンＦとは、例えば図４に示すような、主としてラクレット調理用に用いられる上面開口のフライパンのような取手付きの皿状の調理器具が想定される。
【００１６】
トレイ状部材４、例えば、小型の調理用パンＦを二つ並べた状態で載置可能となり、かつ調理用パンの安定的な載置を図るため、調理用パンのサイズに対応する凹状受け部４Ａ４Ｂなどが構成されることが好ましい。
【００１７】
一方の支持体１Ａから突設する温度調節ダイヤルＤは、左一杯に回した状態が「ＯＦＦ」、すなわち通電されていない状態を保持し、ダイヤルを右に回すことによりヒーターＨに通電され、ヒーターＨが加熱される。
温度調節ダイヤルＤは、右に回すことにより加熱温度が高くなるように制御されており、調理内容により適宜設定可能となる。
【００１８】
加熱されたヒーターＨはその放射熱により、上方に配される調理用プレートＰと下方に配される調理用パンＦの双方を加熱させることが可能となる。
【００１９】
例えば、チーズフォンデュ用鍋Ｃを調理用プレートＰ上に載置させることにより適宜の加熱によってチーズフォンデュ料理を手軽に行うことができる。
【００２０】
また、調理用パンＦにラクレット用の材料を入れ、トレイ状部材４に載置することにより適宜の加熱によってラクレット料理を手軽に行うことができる。
【００２１】
なお、上述のとおり、調理用プレートＰを用いたチーズフォンデュと調理用パンＦを用いたラクレットは、ヒーターＨの上下にそれぞれ配されているため、必要に応じ、双方の料理を同時に行うことも可能となる。
【００２２】
また、一般に、チーズ料理には、グリルした野菜やバケットなどを付け合わすものが知られているが、本考案に係る加熱調理器を用いることにより、調理用プレートを用いてすべての調理が一台で済ませることが可能となる。
【００２３】
調理用プレートＰは、調理面の表裏面を異なる形状とすることにより、調理内容に合わせ選択的に使用することが可能となり、例えば、図３に示すような一方の面は多数本の線状凸部を並列に形成させるグリル用プレートとし、他方の面は外縁を除き平坦面に形成させるプレート（図２参照）とすることにより、一台で行うことができる調理のバリエーションをさらに増やすことが可能となる。
【００２４】
上述のとおり、調理用プレートＰには所要箇所に凹状受け溝Ｇが設けられており、当該受け溝をプレートガイド３Ａ３Ｂに係合させることによりセットの安定化が図られる。なお、当該受け溝Ｇは、表裏面を選択使用可能な調理用プレートにおいては、これに対応した箇所に配されることになる。
【００２５】
ヒーターＨと調理用プレートガイド３Ａ３ＢもしくはヒーターＨとトレイ状部材４との間隔は、実施例に示す態様に限定するものではなく、本考案の効果を奏する限り、適宜ヒーターに対し距離の遠近調節を可能とする構成も想定される。
【符号の説明】
【００２６】
１Ａ１Ｂ    支持体
３Ａ３Ｂ    プレートガイド
４          トレイ状部材
Ｐ          調理用プレート
【図１】
0003220278.tif 000003
【図２】
0003220278.tif 000004
【図３】
0003220278.tif 000005
【図４】
0003220278.tif 000006